(57)【特許請求の範囲】
【請求項１】
少なくとも１個の円形切断ユニットを具え、この円形切断ユニットを外側切断メンバと、該外側切断メンバに対し相対的に回転駆動される内側切断メンバとで構成し、内側切断メンバを軸線方向支持手段および半径方向支持手段により外側切断メンバ上に支持し、内側切断メンバを外側切断メンバに対し軸線方向に係合させ、内側切断メンバおよび外側切断メンバに相互に共働してひげを剪断するための切断刃を設けたひげ剃り器であって、さらに内側切断メンバのための駆動部材を有するモータを具えたひげ剃り器において、
作動中に前記駆動部材が前記内側切断メンバに何らの軸線方向力を作用させることなく、該内側切断メンバに内側切断メンバ回転駆動力のみを伝達するよう構成したことを特徴とするひげ剃り器。
【請求項２】
前記内側切断メンバを前記外側切断メンバに対し可撓性支持手段を介して支持したことを特徴とする、請求項１記載のひげ剃り器。
【請求項３】
前記外側切断メンバに軸線方向へ延在する中心支持軸を設け、前記内側切断メンバに前記支持軸上にジャーナル軸受した中心支持ブッシュを設け、前記支持軸を部分的に可撓性のピンで形成し、前記可撓性支持手段は、前記中心支持軸及び前記中心支持ブッシュで構成されることを特徴とする、請求項２記載のひげ剃り器。
【請求項４】
前記駆動部材を軸線方向にバネ付勢すると共に、該駆動部材に軸線方向支持面を設けて外向きの力を前記外側切断メンバのみに作用させるようにしたことを特徴とする、請求項１記載のひげ剃り器。
【請求項５】
前記外側切断メンバの支持軸の遊端に、前記駆動部材の軸線方向支持面と共働する軸線方向支持面を設けたことを特徴とする、請求項３および４記載のひげ剃り器。
【発明の詳細な説明】
本発明は、少なくとも１個の円形切断ユニットを具え、この円形切断ユニットを外側切断メンバと、該外側切断メンバに対し相対的に回転駆動される内側切断メンバとで構成し、内側切断メンバを軸線方向支持手段および半径方向支持手段により外側切断メンバ上に支持し、内側切断メンバを外側切断メンバに対し軸線方向に係合させ、内側切断メンバおよび外側切断メンバに相互に共働してひげを剪断するための切断刃を設けたひげ剃り器であって、さらに内側切断メンバのための駆動部材を有するモータを具えたひげ剃り器に関するものである。
かかるひげ剃り器は、ヨーロッパ特許出願公開第００７４６８４号公報（ＥＰ−Ａ２−００７４６８４）において周知である。ひげの正しい切断のためには、内側切断メンバおよび外側切断メンバの共働切断刃間における所謂切断ギャップをできるだけ小さくする必要がある。今日まではこれを実現するために、内側切断メンバを回転駆動するための駆動部材に軸線方向のバネ力を作用させていた。この結果として、内側切断メンバが外側切断メンバに対し予定のプリロードをもって係合し、従って内側切断メンバの切断刃が外側切断メンバの切断刃に予定の力をもって押圧されていた。これが必要な理由は、ひげの切断中に生ずる切断力が共働切断刃をしてこれらを相互に遠ざようとするからである。切断メンバのバネ負荷は切断刃間におけるギャップが切断中において過大になるのを防止する。しかし当該バネ負荷は共働切断刃間における摩擦を比較的大きくする作用もなす。この摩擦を減ずるためヨーロッパ特許出願公開第００７４６８４号公報（ＥＰ−Ａ２−００７４６８４）は、内側切断メンバに軸線方向支持面を設け、これを外側切断メンバの軸線方向支持面に共働させることを提案している。この場合、駆動部材の軸線方向バネ負荷がこれら軸線方向支持面を介して外側切断メンバに伝達され、これにより切断ギャップが最小になると考えられる。ヨーロッパ特許出願公開第００７４６８４号公報（ＥＰ−Ａ２−００７４６８４）の図６に示された実施例においては、内側切断メンバを外側切断メンバにインターロック状態で係合させてある。ところで駆動部材が内側切断メンバを介して外側切断メンバに軸線方向力をも伝達するため、内側切断メンバが外側切断メンバに確実に係合しないこともある。軸線方向力は更に支持面を介した摩擦損失を生じ、その理由は特に、共働切断刃における摩擦力が回転軸線から比較的大きく離れたところに作用してトルク損失の惹起するからである。
本発明は、内側切断メンバおよび外側切断メンバ間における摩擦損失を減ずることを目的とする。
この目的のため本発明のひげ剃り器は、作動中に前記駆動部材が内側切断メンバに何らの軸線方向力を作用させることなく、該内側切断メンバに内側切断メンバ回転駆動力のみを伝達するよう構成したことを特徴とするものである。
この構成によれば駆動部材がもはや内側切断メンバに軸線方向力を作用させないため、内側切断メンバおよび外側切断メンバ間の摩擦が最小になる。よって内側切断メンバが外側切断メンバに対しインターロック状態に係合したり、外側切断メンバに対する内側切断メンバの係合が不確実になることが最早ない。内側切断メンバおよび外側切断メンバ間の摩擦損失が最小になることは、充電式ひげ剃り器において特に重要である。
なお、回転駆動される切断メンバは往復回転駆動される切断メンバをも含むことは言うまでもない。
本発明の好適例では、内側切断メンバを外側切断メンバに対し可撓性支持手段を介して支持する。ひげの切断中に切断力は内側切断メンバを外側切断メンバに対し相対的に傾斜させる傾向を生ずる。支持手段はこの傾動に抗する必要がある。ところで可撓性支持手段故に、切断メンバの相互間における自己位置決めが達成される。支持手段の支持面上における一様な負荷の分散が行われ、結果として支持面の摩耗を一様なものにすることができる。これによりひげ剃り器の使用寿命が延長される。
上記の可撓性支持手段を有するひげ剃り器の好適例では、外側切断メンバに軸線方向へ延在する中心支持軸を設け、内側切断メンバにこの支持軸上にジャーナル軸受した中心支持ブッシュを設け、上記支持軸を部分的に可撓性のピンで形成することができる。当該可撓性のピンは内側切断メンバをして外側切断メンバに対し相対的に最適に自己調整させ得る。よって軸線方向支持面の負荷を一様なものにすることができる。従って支持面の周辺に負荷が集中するのを回避することができる。また共働切断エレメント間における接触が更に一様になる。上記可撓性のピンは小径のピンで構成することができる。
本発明ひげ剃り器の他の好適例では、前記軸線方向駆動部材を軸線方向にバネ付勢すると共に、該駆動部材に軸線方向支持面を設けて外向きの力を外側切断メンバのみに作用させるようにする。この結果として、駆動部材から内側切断メンバに軸線方向力を作用させることなく切断ユニットを全体的に弾性的に押動可能および揺動可能にすることができる。かかる切断ユニットの押動可能および揺動可能は、ひげ剃り中において切断ユニットを皮膚に良好に適合させるのに有用である。
以下、本発明の実施例を図面に示す例に基づき更に詳細に説明するに、
図１は、３個のひげ剃りユニットを具えたひげ剃り器の斜視図、
図２は、図１に示すひげ剃り器のひげ剃りユニットで、本発明の第１実施例により構成したひげ剃りユニットの横断面図、
図３は、図１に示すひげ剃り器のひげ剃りユニットで、本発明の第２実施例により構成したひげ剃り器ユニットの横断面図、
図４は、図３に示すひげ剃りユニットの切断メンバ間における支持手段の詳細図である。
図１に示すひげ剃り器はハウジング１を具え、このハウジングにホルダー２を着脱可能、若しくは回動可能に設ける。当該ホルダーには３個の切断ユニット３を収納し、これら切断ユニットをひげ剃りユニットとも称する。
図２に示す第１実施例の切断ユニット３は、外側ひげ切断メンバ４および内側ひげ切断メンバ５により構成し、内側ひげ切断メンバを外側ひげ切断メンバに対して相対的に回転駆動し得るようにする。内側ひげ切断メンバの駆動は、ハウジング内に収納したモータ４０によりこれを行う。
外側ひげ切断メンバ４は円形キャップ形状にし、これに円形条溝６を形成する。そして外側ひげ切断メンバの底壁および直立側壁に複数のスリット状ひげ進入孔７を形成し、これらひげ進入孔をほぼキャップの中心を通る半径方向に延在させ、該ひげ進入孔間に薄片８を延在させる。外側ひげ切断メンバ４に中心支持シャフト９を設け、これを軸線方向に延在させる。この支持シャフトを突起１０およびピン１１で構成し、ピン１１はクランプリング１２を介して突起１０上に嵌合する。
内側ひげ切断メンバ５は中心部１３と、その周辺に設けた切断エレメント１４とで構成する。これら切断エレメントの遊端に切断刃１５を設け、該切断刃は薄片１１の切断刃１６と共働して、ひげ進入孔７から突出したひげを剪断するものとする。中心部１３をプレート１７に取着し、このプレートに環状中心連結メンバ１８を設ける。該連結メンバは支持ブッシュ１９および外包リング２０により構成する。このリングはスポーク２１を介して支持ブッシュに連結する。
内側ひげ切断メンバ５は外側ひげ切断メンバ４に対し相対回転し得るようになす。この目的のため、支持ブッシュ１９を支持シャフト９上にジャーナル軸受する。半径方向支持手段は、支持ブッシュ１９および突起１０のそれぞれの支持面２２，２３により構成する。内側ひげ切断メンバ５は外側ひげ切断メンバ４に対し若干の隙間、好ましくは２〜１０μｍの隙間をもって係合させる。この目的のため、支持ブッシュ１９に内方へ指向するカラー２４を設けてこれに軸線方向支持面２５を設定し、この軸線方向支持面をクランプリング１２の軸線方向支持面２６と共働させる。また、切断刃１５および１６も共働支持面と見做すことができる。
回転駆動出力軸２７にはバネ負荷連結軸２８を設ける。バネ２９は連結軸２８を切断ユニット４に向け付勢する。連結軸には連結メンバ１８のスポーク２１間に係合する複数の連結フィンガー３０を設ける。これがため内側ひげ切断メンバ５は、外側ひげ切断メンバ４に対し相対的に回転されたり、若しくは振動的に回転される。連結軸２８には更に軸線方向支持面３２を設け、これを支持軸９のピン１１における軸線方向支持面３２に当接させる。かくてバネ負荷支持軸は外側ひげ切断メンバ４に対し排他的に作用し、内側ひげ切断メンバ５には作用することがない。
この結果として切断ユニットが全体として弾性的に押動され得る。この弾性的に押動可能な手段は勿論、バネ負荷連結軸以外の手段によっても実現することができる。一例としては、弾性エレメントの一端をハウジングに固定し、他端を外側ひげ切断メンバ４の下縁に弾性的に係合させる
図３の例では、外側ひげ切断メンバ４に対する内側ひげ切断メンバ５の支持手段を可撓性支持手段とする。この目的のため、ピン１１１の直径を支持ブッシュ１９のカラー２４の内径よりも比較的小さくする。外側ひげ切断メンバ４内に内側ひげ切断メンバ５を軸線方向に連結させるため、支持軸９に摘み１１２を設け、これを図２におけるようなクランプリング１２の代用とする。ひげ剃り中は切断エレメント１４上に力が作用し、その結果として支持軸の軸線方向支持面、特に摘み１１２の軸線方向支持面上に集中的な周辺負荷が作用する。細い可撓性ピン１１１に起因して、摘み１１２およびカラー２４の共働軸線方向支持面１１３，１１４は一層良好に相互係合し、これにより支持手段に作用する負荷を一様にすることができる。この状態を図４に示し、この図では明瞭のため傾斜を誇張して示した。
【図１】
0004334024.tif 000002
【図２】
0004334024.tif 000003
【図３】
0004334024.tif 000004
【図４】
0004334024.tif 000005